【手続補正書】
【提出日】平成25年2月21日(2013.2.21)
【手続補正１】
【補正対象書類名】特許請求の範囲
【補正対象項目名】全文
【補正方法】変更
【補正の内容】
【特許請求の範囲】
【請求項１】
超音波信号を対象体に送信し、前記対象体から反射される超音波エコー信号を受信して超音波データを取得する超音波データ取得部と、
前記超音波データを用いてボリュームデータを形成し、ユーザの入力情報に基づいて前記ボリュームデータに基準断面、基準点およびウィンドーを設定し、前記基準断面、前記基準点および前記ウィンドーに基づいてＮＴ（ｎｕｃｈａｌ  ｔｒａｎｓｌｕｃｅｎｃｙ）の厚さを測定するためのサジタルビュー（ｓａｇｉｔｔａｌ  ｖｉｅｗ）を前記ボリュームデータに設定するプロセッサと
を備えることを特徴とする超音波システム。
【請求項２】
前記プロセッサは、
前記超音波データを用いて前記ボリュームデータを形成するボリュームデータ形成部と、
前記入力情報に基づいて前記ボリュームデータに前記基準断面を設定する基準断面設定部と、
前記入力情報に基づいて前記基準断面に前記基準点を設定する基準点設定部と、
前記基準点を基準として前記基準断面に前記ウィンドーを設定するウィンドー設定部と、
前記基準断面、前記基準点および前記ウィンドーに基づいて前記ボリュームデータに前記サジタルビューを設定するサジタルビュー設定部と
を備えることを特徴とする請求項１に記載の超音波システム。
【請求項３】
前記サジタルビュー設定部は、前記基準断面、前記基準点および前記ウィンドーを第1の方向に一定間隔ずつ複数の移動位置に移動させながら前記各移動位置で第１の基準値を算出し、前記第１の基準値から最大の第１の基準値を検出し、前記最大の第１の基準値に対応する前記移動位置に前記基準断面、前記基準点および前記ウィンドーを移動させ、前記基準点を基準として前記基準断面および前記ウィンドーを第２の方向の回転軸に対して一定角度ずつ複数の回転角度で回転させながら前記各回転角度で第２の基準値を設定し、前記第２の基準値から最大の第２の基準値を検出し、前記最大の第２の基準値に対応する前記回転角度に前記基準断面および前記ウィンドーを回転させて、前記ボリュームデータに前記サジタルビューを設定することを特徴とする請求項２に記載の超音波システム。
【請求項４】
前記サジタルビュー設定部は、前記ウィンドー内のピクセルの輝度値を検出し、前記検出された輝度値の平均値を算出し、前記平均値を前記第１および第２の基準値に設定することを特徴とする請求項３に記載の超音波システム。
【請求項５】
前記サジタルビュー設定部は、前記ウィンドー内のピクセルの輝度値を検出し、前記検出された輝度値の合算値を算出し、前記合算値を前記第１および第２の基準値として設定することを特徴とする請求項３に記載の超音波システム。
【請求項６】
前記サジタルビュー設定部は、前記ウィンドー内のピクセルについて傾斜の大きさ（ｇｒａｄｉｅｎｔ  ｍａｇｎｉｔｕｄｅ）および方位（ｏｒｉｅｎｔａｔｉｏｎ）を求め、前記傾斜の大きさおよび前記方位を用いてヒストグラムを形成し、前記ヒストグラムを分析してピーク値を検出し、前記ピーク値を前記第１および第２の基準値として設定することを特徴とする請求項３に記載の超音波システム。
【請求項７】
前記ボリュームデータを用いて前記サジタルビューに対応する２次元超音波映像を形成する映像形成部と、
前記２次元超音波映像で前記基準点を基準に前記ＮＴの輪郭を検出し、前記検出された輪郭を用いて前記ＮＴの厚さを測定するＮＴ厚さ測定部と
をさらに備えることを特徴とする請求項１ないし６のいずれかに記載の超音波システム。
【請求項８】
前記入力情報を受信するユーザ入力部
をさらに備えることを特徴とする請求項１ないし７のいずれかに記載の超音波システム。
【請求項９】
前記入力情報は、
前記基準断面を前記ボリュームデータに設定する第１の入力情報と、
前記基準断面に前記基準点を設定する第２の入力情報と
を含むことを特徴とする請求項１ないし８のいずれかに記載の超音波システム。
【請求項１０】
ａ）超音波信号を対象体に送信し、前記対象体から反射される超音波エコー信号を受信して超音波データを取得する段階と、
ｂ）前記超音波データを用いてボリュームデータを形成する段階と、
ｃ）ユーザの入力情報に基づいて前記ボリュームデータに基準断面、基準点およびウィンドーを設定する段階と、
ｄ）前記基準断面、前記基準点および前記ウィンドーに基づいてＮＴ（ｎｕｃｈａｌ  ｔｒａｎｓｌｕｃｅｎｃｙ）の厚さを測定するためのサジタルビューを前記ボリュームデータに設定する段階と
を備えることを特徴とするサジタルビュー設定方法。
【請求項１１】
前記段階ｃ）は、
前記入力情報に基づいて前記ボリュームデータに前記基準断面を設定する段階と、
前記入力情報に基づいて前記基準断面に前記基準点を設定する段階と、
前記基準点を基準として前記基準断面に前記ウィンドーを設定する段階と
を備えることを特徴とする請求項１０に記載のサジタルビュー設定方法。
【請求項１２】
前記段階ｄ）は、
ｄ１）前記基準断面、前記基準点および前記ウィンドーを第１の方向に一定間隔ずつ複数の位置に移動させながら前記各位置で第１の基準値を算出する段階と、
ｄ２）前記第１の基準値から最大の第１の基準値を検出する段階と、
ｄ３）前記最大の第１の基準値に対応する前記位置に前記基準断面、前記基準点および前記ウィンドーを移動させる段階と、
ｄ４）前記基準点を基準として前記基準断面および前記ウィンドーを第２の方向の回転軸に対して一定角度ずつ複数の回転角度で回転させながら前記各回転角度で第２の基準値を算出する段階と、
ｄ５）前記第２の基準値から最大の第２の基準値を検出する段階と、
ｄ６）前記最大の第２の基準値に対応する前記回転角度に前記基準断面および前記ウィンドーを回転させて前記サジタルビューを前記ボリュームデータに設定する段階と
を備えることを特徴とする請求項１０または１１に記載のサジタルビュー設定方法。
【請求項１３】
前記段階ｄ１）は、
前記ウィンドーのピクセルの輝度値を検出する段階と、
前記検出された輝度値の平均値を算出する段階と、
前記平均値を前記第１の基準値として設定する段階と
を備えることを特徴とする請求項１２に記載のサジタルビュー設定方法。
【請求項１４】
前記段階ｄ１）は、
前記ウィンドーのピクセルの輝度値を検出する段階と、
前記検出された輝度値の合算値を算出する段階と、
前記合算値を前記第１の基準値として設定する段階と
を備えることを特徴とする請求項１２に記載のサジタルビュー設定方法。
【請求項１５】
前記段階ｄ１）は、
前記ウィンドーのピクセルについての傾斜の大きさ（ｇｒａｄｉｅｎｔ  ｍａｇｎｉｔｕｄｅ）および方位（ｏｒｉｅｎｔａｔｉｏｎ）を求める段階と、
前記傾斜の大きさおよび前記方位を用いてヒストグラムを形成する段階と、
前記ヒストグラムを分析してピーク値を検出する段階と、
前記検出されたピーク値を前記第１の基準値として設定する段階と
を備えることを特徴とする請求項１２に記載のサジタルビュー設定方法。
【請求項１６】
前記段階ｄ４）は、
前記ウィンドー内のピクセルの輝度値を検出する段階と、
前記検出された輝度値の平均値を算出する段階と、
前記平均値を前記第２の基準値として設定する段階と
を備えることを特徴とする請求項１２または１３に記載のサジタルビュー設定方法。
【請求項１７】
前記段階ｄ４）は、
前記ウィンドーのピクセルの輝度値を検出する段階と、
前記検出された輝度値の合算値を算出する段階と、
前記合算値を前記第２の基準値として設定する段階と
を備えることを特徴とする請求項１２または１４に記載のサジタルビュー設定方法。
【請求項１８】
前記段階ｄ４）は、
前記ウィンドー内のピクセルについての傾斜の大きさ（ｇｒａｄｉｅｎｔ  ｍａｇｎｉｔｕｄｅ）および方位（ｏｒｉｅｎｔａｔｉｏｎ）を求める段階と、
前記傾斜の大きさおよび前記方位を用いてヒストグラムを形成する段階と、
前記ヒストグラムを分析してピーク値を検出する段階と、
前記検出されたピーク値を前記第２の基準値として設定する段階と
を備えることを特徴とする請求項１２または１５に記載のサジタルビュー設定方法。
【請求項１９】
ｅ）前記ボリュームデータを用いて前記サジタルビューに対応する２次元超音波映像を形成する段階と、
ｆ）前記２次元超音波映像で前記基準点を基準に前記ＮＴの輪郭を検出する段階と、
ｇ）前記検出された輪郭を用いて前記ＮＴの厚さを測定する段階と
をさらに備えることを特徴とする請求項１０ないし１８のいずれかに記載のサジタルビュー設定方法。
【請求項２０】
前記入力情報は、
前記基準断面を前記ボリュームデータに設定する第１の入力情報と、
前記基準断面に前記基準点を設定する第２の入力情報と
を備えることを特徴とする請求項１０ないし１９のいずれかに記載のサジタルビュー設定方法。
【請求項２１】
サジタルビューを設定する方法を行うためのプログラムを格納するコンピュータ読み出し可能の記録媒体であって、前記方法は、
ａ）超音波信号を対象体に送信し、前記対象体から反射される超音波エコー信号を受信して超音波データを取得する段階と、
ｂ）前記超音波データを用いてボリュームデータを形成する段階と、
ｃ）ユーザの入力情報に基づいて前記ボリュームデータに基準断面、基準点およびウィンドーを設定する段階と、
ｄ）前記基準断面、前記基準点および前記ウィンドーに基づいてＮＴ（ｎｕｃｈａｌ  ｔｒａｎｓｌｕｃｅｎｃｙ）の厚さを測定するためのサジタルビューを前記ボリュームデータに設定する段階と
を備えることを特徴とするコンピュータ読み出し可能記録媒体。